(57)【要約】      （修正有）【課題】日本古来から伝統のある提灯の柄を従来の竹に代えて合成樹脂で一体成形し、柄の内部から発光する様にし、かつ大量生産が可能な提灯の柄を提供する。【解決手段】柄１を耐久性のある合成樹脂材にて一体化形成し、着色は材料配合時に自由に色を決めて、空洞にした柄１の内部に電気部品と発光ダイオード６を挿入し、押釦１１を押動すれば発光ダイオード６が発光し順次３色に変化する。【選択図】図１
0003162705.tif 000002
【実用新案登録請求の範囲】
【請求項１】
火袋２を吊り下げる機能を有する合成樹脂製の柄１の棒状内部を空洞にし、電気部品１１、１２、１３、１４、１５、１６、１７、１８、１９、２０を内蔵したケース３、４と共に６、２１を挿入しネジ５にて固定して成る発光機能付き提灯の柄。
【考案の詳細な説明】
【技術分野】
【０００１】本考案は屋内外で行う各種行事又は催し物等で使用する携帯用提灯の柄１が押釦１１の操作で発光する機能に関するものである。
【背景技術】
【０００２】従来、提灯の柄１の部分は昔から竹で作られて居り削ったり火で炙って曲げたり、張り合わせて釘で固定するような方法で製作して来たことが知られている。
【考案の概要】
【考案が解決しようとする課題】
【０００３】背景技術で述べたように柄１を竹を使用して製作すると、手作りの部分があるために非常に手数がかかり、特に大量生産する場合、一定の寸法に揃えることは困難である。又柄１の色が古めかしい黒一色ではファッション性を追求する若い人達の感性に合わないのではないかと言うような問題点を有してきた。このような課題に対して全く新しい画期的な提灯の柄１を提供しようとするものである。
【課題を解決するための手段】
【０００４】本考案は従来のように竹材は使用しないで柄１全体を耐久性の合成樹脂材にて一体化形成されたものであり、柄１本体の内部を空洞にして、電気部品を内蔵したケース３、４と発光ダイオード６を挿入しネジで固定する。
【考案の効果】
【０００５】本考案品は合成樹脂製なので軽くて手触りの良い物が安価で簡単に大量生産が出来る。【０００６】着色は色々と自由であり各種イベントのためのオリジナルカラーにすることが可能であり、又明るい蛍光色にすることも出来る。【０００７】柄１の中に配列された発光ダイオード６の発光色に合せて、柄１の色を決めた場合、発光すると明るく鮮やかに輝き電飾として利便性の高い使い方が出来る。【０００８】火袋２の中のローソクが消えた場合、柄１を発光させれば光って見えるので対向者を認知することで衝突を防止出来る。
【図面の簡単な説明】
【０００９】
【図１】  本考案の実施例を示す一部切欠正面断面図である。
【図２】  本考案の側面図である。
【図３】  柄１の一部切欠正面断面図である。
【図４】  柄１の側面図である。
【図５】  柄１の底面図である。
【図６】  柄１のＸ−Ｘ断面図である。
【図７】  ケース３と４を組合せたＹ−Ｙ断面図である。
【図８】  ケース３、４の平面図である。
【図９】  ケース３に電気部品を配設した断面図である。
【図１０】  ケース３に電気部品を配設した平面図及び柄１の断面図である。
【考案を実施するための形態】
【００１０】図１、２に示すように柄１、火袋２は、柄１の一部の形状と材質が異なり他は市販品と同じである。
【００１１】材質は耐久性の合成樹脂材を使用し、一体化形成した成型品である。
【００１２】図３、５に示すように柄１の開口部は円形状７ａにしてネジ５を形成し７ｂの部分は図６に示す如く四角形状に形成し握りやすくした。
【００１３】図７に示すようにケース３に円突起８を設け、又ケース４には穴９を穿ちケース３にケース４を差しこみ止メネジ１０で固定する。
【００１４】柄１の色は材料配合する時に自由に選べる。
【実施例】
【００１５】以下、添付図面に従って一実施例を説明する。図１に示す如く柄１は耐久性の合成樹脂材で一体化形成されたもので、２はローソクを配設するための火袋であり、市販品を使用し柄１に懸架する。【００１６】図９図１０に示すようにケース３に電気部品１１、１２、１３、１５、１６、１７、１９、２０、２１及び６を順次配置し、ビス１４でスイッチ基板１３を固定し、基板１９は円柱ボス１８に差しこみ１８の先端を融着し固定す。【００１７】上記のように電気部品を配置したケース３にケース４をかぶせる時、円形突起８を穴９に嵌込み止メネジ１０で固定しケース３、４を組立る。【００１８】次に図１に示すように柄１に電気部品を内蔵したケース３、４及び発光ダイオード６を挿入しネジ５にて固定する。【００１９】本考案は上述の如き構成からなり、使用する場合は１１押釦を押動すればマイクロスイッチ１２が作動し、発光ダイオード６が発光し順次３色に変化する。
【符号の説明】
【００２０】１    柄
２    火袋
３    ケース
４    ケース
５    ネジ
６    発光ダイオード
７ａ  柄の円形形状部分
７ｂ  柄の四角形状部分
８    円突起
９    穴
１０  止メネジ
１１  押釦
１２  マイクロスイッチ
１３  スイッチ基板
１４  ビス
１５  電極板板バネ
１６  電池
１７  電極板コイルバネ
１８  円柱ボス
１９  基板
２０  ＩＣチップ
２１  リード線
２２  カバー
【図１】
0003162705.tif 000003
【図２】
0003162705.tif 000004
【図３】
0003162705.tif 000005
【図４】
0003162705.tif 000006
【図５】
0003162705.tif 000007
【図６】
0003162705.tif 000008
【図７】
0003162705.tif 000009
【図８】
0003162705.tif 000010
【図９】
0003162705.tif 000011
【図１０】
0003162705.tif 000012
【手続補正書】
【提出日】平成22年6月17日(2010.6.17)
【手続補正１】
【補正対象書類名】実用新案登録請求の範囲
【補正対象項目名】全文
【補正方法】変更
【補正の内容】
【実用新案登録請求の範囲】
【請求項１】
火袋２を吊り下げる機能を有する合成樹脂製の柄１の棒状部分の内部を空洞にした中に押釦１１、マイクロスイッチ１２、スイッチ基板１３、ビス１４、電極板バネ板１５、電池１６、電極板コイルバネ１７、円柱ボス１８、基板１９、ＩＣチップ２０を内蔵したケース３、４と共に発光ダイオード６、リード線２１を挿入して、柄１の内部のネジに組立たケース３、４のネジを締めつけて固定して成り、前記押釦１１を押すことで前記マイクロスイッチ１２が作動すると前記発光ダイオード６が点灯する発光機能付き提灯の柄。
【手続補正２】
【補正対象書類名】明細書
【補正対象項目名】０００９
【補正方法】変更
【補正の内容】
【０００９】
【図１】  本考案の実施例を示す一部切欠正面断面図である。
【図２】  柄１の側面図である
【図３】  柄１の底面図である
【図４】  柄１のＸ−Ｘ断面図である
【図５】  柄１、火袋２の正面図である
【図６】  柄１の側面図である
【図７】  ケース３と４を組合せたＹ−Ｙ断面図である。
【図８】  ケース３、４の平面図である。
【図９】  ケース３に電気部品を配設した断面図である。
【図１０】  ケース３に電気部品を配設した平面図及び柄１の断面図である。
【手続補正３】
【補正対象書類名】明細書
【補正対象項目名】００１０
【補正方法】変更
【補正の内容】
【００１０】図５、６に示すように柄１、火袋２は、柄１の一部の形状と材質が異なり他は市販品と同じである。
【手続補正４】
【補正対象書類名】明細書
【補正対象項目名】００１１
【補正方法】変更
【補正の内容】
【００１１】材質は耐久性の合成樹脂材を使用し、一体化形成した成型品である。
【手続補正５】
【補正対象書類名】明細書
【補正対象項目名】００１２
【補正方法】変更
【補正の内容】
【００１２】図１に示すように柄１の開口部は円形状７ａにしてネジ５を形成し７ｂの部分は図４に示す如く四角形状に形成し握りやすくした。
【手続補正６】
【補正対象書類名】明細書
【補正対象項目名】００１３
【補正方法】変更
【補正の内容】
【００１３】図７に示すようにケース３に円突起８を設け、又ケース４には穴９を穿ちケース３にケース４を差しこみ止メネジ１０で固定する。
【手続補正７】
【補正対象書類名】明細書
【補正対象項目名】００１４
【補正方法】変更
【補正の内容】
【００１４】柄１の色は材料配合する時に自由に選べる。
【手続補正８】
【補正対象書類名】明細書
【補正対象項目名】００１５
【補正方法】変更
【補正の内容】
【００１５】以下、添付図面に従って一実施例を説明する。図５に示す如く柄１は耐久性の合成樹脂材で一体化形成されたもので、２はローソクを配設するための火袋であり、市販品を使用し柄１に懸架する。
【手続補正９】
【補正対象書類名】明細書
【補正対象項目名】００１６
【補正方法】変更
【補正の内容】
【００１６】図９、図１０に示すようにケース３に電気部品、押釦スイッチ１１、マイクロスイッチ１２、スイッチ基板１３、電極板板バネ１５、電池１６、電極板コイルバネ１７、基板１９、ＩＣチップ２０、リード線２１及び発光ダイオード６を順次配置しビス１４でスイッチ基板１３を固定し、基板１９は円柱ボス１８に差しこみ１８の先端を融着し固定する。
【手続補正１０】
【補正対象書類名】明細書
【補正対象項目名】００１７
【補正方法】変更
【補正の内容】
【００１７】上記のように電気部品を配置したケース３にケース４をかぶせる時、図７に示すように円形突起８を穴９に嵌込み止メネジ１０で固定しケース３、４を組立る。
【手続補正１１】
【補正対象書類名】明細書
【補正対象項目名】００１８
【補正方法】変更
【補正の内容】
【００１８】次に図１に示すように柄１に電気部品を内蔵したケース３、４及び発光ダイオード６を挿入しネジ５にて固定する。
【手続補正１２】
【補正対象書類名】明細書
【補正対象項目名】００１９
【補正方法】変更
【補正の内容】
【００１９】本考案は上述の如き構成からなり、使用する場合は１１押釦を押動すればマイクロスイッチ１２が作動し、発光ダイオード６が発光し順次３色に変化する。
【手続補正１３】
【補正対象書類名】図面
【補正対象項目名】全図
【補正方法】変更
【補正の内容】
【図１】
0003162705.tif 000013
【図２】
0003162705.tif 000014
【図３】
0003162705.tif 000015
【図４】
0003162705.tif 000016
【図５】
0003162705.tif 000017
【図６】
0003162705.tif 000018
【図７】
0003162705.tif 000019
【図８】
0003162705.tif 000020
【図９】
0003162705.tif 000021
【図１０】
0003162705.tif 000022